(57)【要約】【課題】満水時であってもポンプの装着が作業効率よく、容易に行えるポンプ装置を提供する。【解決手段】ポンプゲート３におけるゲート扉本体８に平行に立設された２本のガイドパイプ１３に対し、外側から挟み込むように上方から嵌合されるスライド部材１４を介して昇降可能な軸流ポンプ１７が装着されたポンプケーシング１１ポンプを備える。ポンプケーシング１１はガイドパイプ１３に沿った下降端位置で対峙するゲート扉本体８に備えられた連通管９の開口部９ａに対してポンプケーシング１１の開口部１１ａが連通状態に自動的に接続される。各ガイドパイプ１３の上部に、互いの外側間距離が上方向に向かって漸次接近する略Ｕ字状に形成された嵌合ガイド杆１８が着脱自在に備えられる。【選択図】　　　図１
2004027947.tif 000002
【特許請求の範囲】
【請求項１】
平行に立設された２本のガイドパイプに対し、外側から挟み込むように上方から嵌合されるスライド部材を介して昇降可能なポンプを備え、該ポンプの下降端位置で対峙する開口部に対してポンプが連通状態に自動的に接続されるポンプ装置において、
前記各ガイドパイプの上部に、互いの外側間距離が上方向に向かって漸次接近する形状とされた嵌合ガイド体が備えられたことを特徴とするポンプ装置。
【請求項２】
前記嵌合ガイド体が、各ガイドパイプの上部にそれぞれ連結される一対の嵌合ガイド杆からなり、各嵌合ガイド杆の上端部に互いに内側に向けて湾曲された湾曲部がそれぞれ備えられていることを特徴とする請求項１に記載のポンプ装置。
【請求項３】
前記嵌合ガイド体が、各ガイドパイプの上部にそれぞれ連結される一対の嵌合ガイド杆からなり、各嵌合ガイド杆の上端部における各外側面に、上方向に向かって互いに内向き傾斜する傾斜ガイド面がそれぞれ備えられていることを特徴とする請求項１に記載のポンプ装置。
【請求項４】
前記嵌合ガイド体が、略Ｕ字状に形成されると共に、その両端部が各ガイドパイプの上部にそれぞれ連結される嵌合ガイド杆からなることを特徴とする請求項１に記載のポンプ装置。
【請求項５】
前記ポンプは、水路開閉用ゲートに取り付けられた前記ガイドパイプに沿って昇降可能とされ、ポンプの下降端位置において、水路開閉用ゲートに備えられた前記開口部に自動的に接続可能とされていることを特徴とする請求項１ないし請求項４のいずれかに記載のポンプ装置。
【請求項６】
前記ポンプは、槽内に取り付けられた前記ガイドパイプに沿って昇降可能とされ、ポンプの下降端位置において、槽内に設置された排出管の前記開口部に自動的に接続可能とされていることを特徴とする請求項１ないし請求項４のいずれかに記載のポンプ装置。
【発明の詳細な説明】
【０００１】
【発明の属する技術分野】
本発明は、２本のガイドパイプに沿ってポンプを昇降させることにより、ポンプを着脱する構造のポンプ装置の改良に関するものである。
【０００２】
【従来の技術】
例えば、図９に示されるように、水路１から河川２に通じる排水経路途中に、排水量調整が可能とされた水路開閉用ゲートとしてのいわゆるポンプゲート３が備えられた構造のものがある。
【０００３】
このポンプゲート３上部には、上方向に向けて昇降用スピンドル４が延設配置されており、この昇降用スピンドル４に連動連結されたゲート開閉装置５が上壁部上に設置され、ゲート開閉装置５による開閉操作によりポンプゲート３が昇降操作され、排水経路を開閉操作可能に構成されている。
【０００４】
そして、水路１側水位が河川２側水位より高いときは、ポンプゲート３の開状態で自然流下により排水させたり、ポンプゲート３の閉状態で、ポンプゲート３に揺動自在に備えられたフラップ弁６を利用して自然流下により排水させたりする方式とされ、また、水路１側水位が河川２側水位より高いときは、自然排水が不可能となるため、ポンプゲート３の閉状態で、ポンプゲート３に備えられたポンプを駆動して、フラップ弁６位置から強制的に排水させる方式とされていた。
【０００５】
また、ポンプゲート３は、図１０ないし図１４に示される如く、排水経路を開閉自在に遮断すべく、矩形状に構成されたゲート扉本体８を備え、ゲート扉本体８の下部両側には、水路１と河川２とを互いに連通させる連通管９がそれぞれ並列状に配設されている。
【０００６】
そして、各連通管９の河川２側の開口部には、前記フラップ弁６がそれぞれ揺動自在に装着されており、水路１側の開口部９ａには、ポンプの一例としての軸流ポンプ（図示省略）が内部に装着された筒状ポンプケーシング１１がそれぞれ着脱自在に接続される構造とされている。
【０００７】
即ち、各連通管９の開口部９ａ側上面部と、その上方に位置してゲート扉本体８上部に装着された各ガイドホルダ１２との相互間にわたって、それぞれ２本のガイドパイプ１３が所定間隔を有して平行に立設されている。
【０００８】
一方、ポンプケーシング１１の連通管９側上部には、図１１に示される如く、両ガイドパイプ１３を外側から挟み込むように抱持する対向する凹状の抱持部１４ａを備えたスライド部材１４が装着されており、抱持部１４ａを一対のガイドパイプ１３に嵌合させた状態で、ポンプケーシング１１は上下方向に昇降可能に構成されている。
【０００９】
そして、ポンプケーシング１１がガイドパイプ１３に沿って下降操作されると、その下降端位置において、ポンプケーシング１１の一端開口部１１ａと、その開口部１１ａに対峙する連通管９の開口部９ａとが自動的に連通状態に接続され、ここに、軸流ポンプが開口部９ａに対して連通状態に自動的に接続される構造とされている。
【００１０】
また、ポンプケーシング１１の上部には、昇降操作用の吊り下げチェーン（図示省略）が連結されたチェーン連結具１５が適宜位置に備えられている。
【００１１】
そして、異物詰まり時、故障時、定期点検時等のメンテナンス時には、吊り下げチェーンを引き上げることにより、軸流ポンプが装着されたポンプケーシング１１は各ガイドパイプ１３に沿って上昇操作され、ガイドパイプ１３の上端よりスライド部材１４が上方に離脱することによりポンプケーシング１１を取り外すことができ、所定のメンテナンスを行うことができる。
【００１２】
また、メンテナンス後等に、軸流ポンプを備えたポンプケーシング１１を装着する場合には、図１４に示される如く、スライド部材１４の抱持部１４ａを各ガイドパイプ１３の上端部に位置合わせさせた状態で下降操作すれば、各ガイドパイプ１３に抱持部１４ａが上方から嵌合され、その後は各ガイドパイプ１３によるスライド案内下、ポンプケーシング１１は下降操作される。
【００１３】
そして、下降端位置に到着すると、自動接続機能によりポンプケーシング１１の開口部１１ａと連通管９の開口部９ａとが自動的に接続され、初期の設置状態が得られる。
【００１４】
上記のようなポンプを備えた水路開閉用ゲートとして、例えば、特開２００２−１２１７３０号公報や特開２００２−１２９５３９号公報等に開示のものがある。
【００１５】
【発明が解決しようとする課題】
しかしながら、上記従来構造のポンプ装置によれば、ゲート扉本体８に対するポンプ、即ちポンプケーシング１１の装着に際して、スライド部材１４の抱持部１４ａと各ガイドパイプ１３との位置合わせを正確に行う必要があり、位置合わせ作業が面倒であった。
【００１６】
また、異物詰まり等の復旧後にポンプケーシング１１を装着する際、水路１の水位が増加してゲート扉本体８の上部まで水位が上昇する場合が多々あり、このような満水時にはガイドホルダ１２部分が水没状態となっている。
【００１７】
従って、ポンプケーシング１１を装着しようとすると、水没しているガイドホルダ１２からガイドパイプ１３を手探り状態で、ポンプケーシング１１のスライド部材１４を沿わせるか、もしくは汚水中に作業者が手をつけて沿わせなければならず、作業効率が悪く、面倒な作業となっていた。
【００１８】
そこで、本発明は上記問題点に鑑み、満水時であってもポンプの装着が作業効率よく、容易に行えるポンプ装置を提供すること目的とする。
【００１９】
【課題を解決するための手段】
上記目的を達成するための技術的手段は、平行に立設された２本のガイドパイプに対し、外側から挟み込むように上方から嵌合されるスライド部材を介して昇降可能なポンプを備え、該ポンプの下降端位置で対峙する開口部に対してポンプが連通状態に自動的に接続されるポンプ装置において、前記各ガイドパイプの上部に、互いの外側間距離が上方向に向かって漸次接近する形状とされた嵌合ガイド体が備えられた点にある。
【００２０】
また、前記嵌合ガイド体が、各ガイドパイプの上部にそれぞれ連結される一対の嵌合ガイド杆からなり、各嵌合ガイド杆の上端部に互いに内側に向けて湾曲された湾曲部がそれぞれ備えられている構造としてもよい。
【００２１】
さらに、前記嵌合ガイド体が、各ガイドパイプの上部にそれぞれ連結される一対の嵌合ガイド杆からなり、各嵌合ガイド杆の上端部における各外側面に、上方向に向かって互いに内向き傾斜する傾斜ガイド面がそれぞれ備えられている構造としてもよい。
【００２２】
また、前記嵌合ガイド体が、略Ｕ字状に形成されると共に、その両端部が各ガイドパイプの上部にそれぞれ連結される嵌合ガイド杆からなる構造としてもよい。
【００２３】
さらに、前記ポンプは、水路開閉用ゲートに取り付けられた前記ガイドパイプに沿って昇降可能とされ、ポンプの下降端位置において、水路開閉用ゲートに備えられた前記開口部に自動的に接続可能とされている構造としてもよい。
【００２４】
また、前記ポンプは、槽内に取り付けられた前記ガイドパイプに沿って昇降可能とされ、ポンプの下降端位置において、槽内に設置された排出管の前記開口部に自動的に接続可能とされている構造としてもよい。
【００２５】
【発明の実施の形態】
以下、本発明の第１の実施形態を図面に基づいて説明する。なお、前述同様構成部分は同一符号を付している。
【００２６】
即ち、図１ないし図４は本実施形態にかかるポンプゲート３を示しており、前述同様、水路１から河川２に通じる排水経路途中に備えられる。
【００２７】
そして、ポンプゲート３は、排水経路を開閉自在に遮断すべく、矩形状に構成されたゲート扉本体８を備え、ゲート扉本体８の下部両側に水路１と河川２とを連通させる一対の連通管９を備えている。
【００２８】
また、各連通管９の河川２側の開口部には、フラップ弁６がそれぞれ揺動自在に装着されており、水路１側の開口部９ａには、ポンプの一例としての軸流ポンプ１７が内部に装着された筒状ポンプケーシング１１がそれぞれ着脱自在に接続される構造とされている。
【００２９】
各連通管９の開口部９ａ側上面部と、その上方に位置してゲート扉本体８上部に装着された各ガイドホルダ１２との相互間にわたって、それぞれ２本のガイドパイプ１３が所定間隔を有して平行に立設されている。
【００３０】
また、ポンプケーシング１１の連通管９側上部には、図１１にも示されるように、両ガイドパイプ１３を外側から挟み込むように抱持する対向する凹状の抱持部１４ａを備えたスライド部材１４が装着されており、抱持部１４ａを一対のガイドパイプ１３に嵌合させた状態で、ポンプケーシング１１は上下方向に沿って昇降可能に構成されている。
【００３１】
そして、ポンプケーシング１１がガイドパイプ１３に沿って下降操作されると、その下降端位置において、ポンプケーシング１１の一端開口部１１ａと、その開口部１１ａに対峙する連通管９の開口部９ａとが自動的に連通状態に接続され、ここに、軸流ポンプが開口部９ａに対して連通状態に自動的に接続される構造とされている。
【００３２】
また、ポンプケーシング１１の上部には、昇降操作用の吊り下げチェーン（図示省略）が連結されたチェーン連結具１５が適宜位置に備えられている。
【００３３】
前記ガイドホルダ１２は、ゲート扉本体８にボルト等により着脱自在に取付固定される基板部１２ａと、基板部１２ａ表面に溶接等により立設固定された支持片部１２ｂと、支持片部１２ｂの先端部両側に所定間隔を有すると共に上下方向の軸心を有して溶接等により取付固定された一対の円筒状パイプ支持筒１２ｃとから構成されている。
【００３４】
また、各パイプ支持筒１２ｃは、その外径がガイドパイプ１３の内径と略同じ、もしくは僅かに小径に構成され、上下方向中間部で支持片部１２ｂに前記固定されており、図２に示される如く、各パイプ支持筒１２ｃの下側突出部分が各ガイドパイプ１３の上端部に嵌入された状態で、基板部１２ａがゲート扉本体８に固定されることにより、各ガイドパイプ１３が保持されている。
【００３５】
そして、本実施形態においては、嵌合ガイド体としての嵌合ガイド杆１８がさらに備えられており、この嵌合ガイド杆１８は、ガイドパイプ１３と同径で適宜長さを有するパイプを略Ｕ字状に屈曲形成した構造とされ、その両端部が各パイプ支持筒１２ｃの上側突出部分に嵌脱自在に嵌合可能とされている。
【００３６】
本実施形態は以上のように構成されており、例えば、異物詰まり時、故障時、定期点検時等のメンテナンス時に、従来同様にして吊り下げチェーンを引き上げることにより、軸流ポンプ１７が装着されたポンプケーシング１１は各ガイドパイプ１３に沿って上昇操作され、ガイドパイプ１３の上端よりスライド部材１４が上方に離脱することによりポンプケーシング１１を取り外すことができ、所定のメンテナンスを行うことができる。
【００３７】
そして、このポンプケーシング１１をゲート扉本体８から取り外した際、各ガイドパイプ１３上部に位置する各パイプ支持筒１２ｃに嵌合ガイド杆１８の両端部をそれぞれ嵌合して、図１、図３および図４に示される如く、ガイドホルダ１２に嵌合ガイド杆１８を取り付けておく。
【００３８】
メンテナンス後等に、軸流ポンプ１７を備えたポンプケーシング１１を装着する場合には、ポンプケーシング１１に備えられたスライド部材１４の抱持部１４ａを嵌合ガイド杆１８の上端部上方に略位置合わせした状態で下降操作すれば、嵌合ガイド杆１８の上端部が円弧状で、両側の外側間距離を上方向に向かって漸次接近する構造となっているため、多少の位置ずれがあっても、抱持部１４ａ間に嵌合ガイド杆１８が相対的に進入し、その後は嵌合ガイド杆１８の両側の外側面に沿って抱持部１４ａが下降案内され、各ガイドパイプ１３と抱持部１４ａとが自然に位置合わせされた状態となって、各ガイドパイプ１３によるスライド案内下、ポンプケーシング１１は下降操作される。
【００３９】
そして、下降端位置に到着すると、自動接続機能によりポンプケーシング１１の開口部１１ａと連通管９の開口部９ａとが自動的に接続され、初期の設置状態が得られる。
【００４０】
以上のように、本実施形態によれば、ポンプケーシング１１の装着時に、嵌合ガイド杆１８によって各ガイドパイプ１３とスライド部材１４の抱持部１４ａとの位置合わせが自動的に行える自動調心機能が発揮でき、厳密な位置合わせが不要となって、作業能率の向上が図れると共に、作業者がやや離れた地点からクレーン等で作業した場合でも容易に装着することができる利点がある。
【００４１】
また、満水時等においてガイドホルダ１２が水没状態であっても、嵌合ガイド杆１８の上部が水面上に突出し、この点からも軸流ポンプ１７の装着作業が容易に行え、作業効率の向上が図れる。
【００４２】
さらに、嵌合ガイド杆１８を製作するだけで、前記従来構造のポンプゲート３に適用でき、安価に提供できる利点もある。
【００４３】
また、嵌合ガイド杆１８をガイドホルダ１２に対して着脱自在な構造としているため、通常時には取り外しておくことによって、軸流ポンプ１７駆動時の振動等による騒音発生等が有効に防止できる。
【００４４】
なお、嵌合ガイド杆１８を各パイプ支持筒１２ｃに対して着脱自在な構造を示しているが、各ガイドパイプ１３の上部に嵌合ガイド杆１８を一体的に備える構造であってもよい。
【００４５】
図５は第２の実施形態を示しており、第１の実施形態と同様構成部分は同一符号を付し、その説明を省略する。
【００４６】
即ち、本実施形態においては、嵌合ガイド体がガイドパイプ１３と同径で適宜長さを有する一対の嵌合ガイド杆２０からなり、各嵌合ガイド杆２０の上端部に互いに内側に向けて湾曲された湾曲部２０ａがそれぞれ一体もしくは別体により備えられた構造とされている。なお、その他の構造は第１の実施形態と同様に構成されている。
【００４７】
そして、各嵌合ガイド杆２０を各パイプ支持筒１２ｃの上側突出部分に嵌脱自在に嵌合させることにより、両湾曲部２０ａでスライド部材１４の抱持部１４ａを自動調心する機能を発揮する。
【００４８】
従って、本実施形態においても第１の実施形態と同様の効果を奏する。
【００４９】
図６は第３の実施形態を示しており、第２の実施形態と同様構成部分は同一符号を付し、その説明を省略する。
【００５０】
即ち、本実施形態においては、第２の実施形態における湾曲部２０ａに換えて、各嵌合ガイド杆２０の上端部に、各外側面に、上方向に向かって互いに内向きに傾斜する傾斜ガイド面２０ｂがそれぞれ備えられた傾斜ブロック２０ｃが装着された構造とされている。なお、その他の構造は第２の実施形態と同様に構成されている。
【００５１】
そして、各嵌合ガイド杆２０を各パイプ支持筒１２ｃの上側突出部分に嵌脱自在に嵌合させることにより、両傾斜ガイド面２０ｂでスライド部材１４の抱持部１４ａを自動調心する機能を発揮する。
【００５２】
従って、本実施形態においても第１の実施形態と同様の効果を奏する。
【００５３】
なお、上記第１の実施形態における嵌合ガイド杆１８上端部の湾曲部も、第３の実施形態と同様、別体で形成し、装着する構造としてもよい。
【００５４】
また、第２の実施形態や第３の実施形態において、各嵌合ガイド杆２０を各ガイドパイプ１３の上部に一体的に備える構造としてもよい。
【００５５】
図７および図８は第４の実施形態を示しており、マンホールや宅内排水用等の排水ポンプ装置３０に適用した構造を示している。
【００５６】
即ち、排水ポンプ装置３０における汚水槽３１の底部に予旋回槽３２が備えられ、予旋回槽３２は堰部３３により一側の汚水貯留域３４と他側の予旋回域３５とに区画され、予旋回域３５には円形状の凹部３６が設けられており、汚水貯留域３４から凹部３６に至って漸次下降傾斜する導水路３７が設けられている。
【００５７】
また、予旋回域３５の一側には、支持台３９上に連結用排出管４０が取付固定され、連結用排出管４０の一端部には汚水槽３１外の外部排出管につながる排出管４１が接続されている。
【００５８】
連結用排出管４０の他端部両側には、一対のガイドパイプ４２が所定間隔を有する平行状として上下方向に立設固定されている。
【００５９】
そして、吊り下げチェーン等で吊り下げ支持された水中ポンプ４３の吐出口に備えられたスライド部材４４の抱持部が、両ガイドパイプ４２に外側から挟み込むように嵌合されており、スライド部材４４による各ガイドパイプ４２のスライド案内下、水中ポンプ４３が上下方向に沿って昇降操作可能に構成されている。
【００６０】
また、水中ポンプ４３がガイドパイプ１３に沿って下降操作されると、その下降端位置において、水中ポンプ４３の吐出口と、その吐出口に対峙する連結用排出管４０の開口部とが自動的に連通状態に接続される構造とされている。なお、このような下降操作により自動的に脱着される機構として、特許第２８８３２５８号公報、実公平７−１２７１２号公報、特開平１１−１４１４９２号公報等に開示のように、各種の構造が知られており、適宜採用すればよい。
【００６１】
また、この水中ポンプ４３側と連結用排出管４０側との接続状態において、水中ポンプ４３の吸込口４５が凹部３６内に挿入状に配置されるように構成されている。
【００６２】
そして、各ガイドパイプ４２の上端部は、前記第１の実施形態と略同様構造のガイドホルダ４６により保持されている。即ち、ガイドホルダ４６の先端部には各ガイドパイプ４２に嵌入可能な一対の円筒状パイプ支持筒が設けられており、各パイプ支持筒の下側突出部分が各ガイドパイプ４２の上端部に嵌入された状態で保持されている。
【００６３】
そして、この各パイプ支持筒の上側突出部分に前記嵌合ガイド杆１８と同様構造の略Ｕ字状に屈曲形成された嵌合ガイド杆４７が着脱自在に嵌合される構造とされている。
【００６４】
なお、本実施形態では、一対の水中ポンプ４３が交互運転される方式の排水ポンプ装置３０とされており、各水中ポンプ４３の吸込口４５が挿入配置される凹部３６がそれぞれ形成され、両凹部３６間に位置して予旋回域３５を仕切る仕切壁４８が形成されている。
【００６５】
従って、本実施形態においても、メンテナンス後等の水中ポンプ４３の装着時に、嵌合ガイド杆４７によって各ガイドパイプ４２とスライド部材４４の抱持部との位置合わせが自動的に行える自動調心機能が発揮でき、厳密な位置合わせが不要となって、作業能率の向上が図れると共に、作業者がやや離れた地点からクレーン等で作業した場合でも容易に装着することができる等、第１の実施形態と同様の効果を奏する。
【００６６】
なお、本実施形態における嵌合ガイド杆４７に換えて、第２の実施形態や第３の実施形態に示される嵌合ガイド杆２０の構造を採用してもよく、この場合においても同様の効果が得られる。
【００６７】
また、上記各実施形態において、河川への強制排水、マンホールポンプ場、下水処理場等に利用したポンプ装置に採用した構造を開示しているが、農業用水の強制排除、浸水対策等に利用したポンプ装置であってもよく、実施形態のものに何ら限定されない。
【００６８】
【発明の効果】
以上のように、本発明のポンプ装置によれば、各ガイドパイプの上部に、互いの外側間距離が上方向に向かって漸次接近する形状とされた嵌合ガイド体が備えられた構造とされており、ポンプの装着時に、嵌合ガイド体によって各ガイドパイプとスライド部材との位置合わせが自動的に行える自動調心機能が発揮でき、厳密な位置合わせが不要となって、満水時等であってもポンプの装着が容易に行え、作業能率の向上が図れる利点がある。
【００６９】
また、嵌合ガイド体が、各ガイドパイプの上部にそれぞれ連結される一対の嵌合ガイド杆からなり、各嵌合ガイド杆の上端部に互いに内側に向けて湾曲された湾曲部がそれぞれ備えられている構造や、嵌合ガイド体が、各ガイドパイプの上部にそれぞれ連結される一対の嵌合ガイド杆からなり、各嵌合ガイド杆の上端部における各外側面に、上方向に向かって互いに内向き傾斜する傾斜ガイド面がそれぞれ備えられている構造や、嵌合ガイド体が、略Ｕ字状に形成されると共に、その両端部が各ガイドパイプの上部にそれぞれ連結される嵌合ガイド杆からなる構造としても上記同様の効果が得られる。
【００７０】
さらに、ポンプは、水路開閉用ゲートに取り付けられたガイドパイプに沿って昇降可能とされ、ポンプの下降端位置において、水路開閉用ゲートに備えられた開口部に自動的に接続可能とされているポンプ装置や、ポンプは、槽内に取り付けられたガイドパイプに沿って昇降可能とされ、ポンプの下降端位置において、槽内に設置された排出管の開口部に自動的に接続可能とされているポンプ装置においても上記同様の効果が得られる。
【図面の簡単な説明】
【図１】本発明の第１の実施形態を示すポンプゲートの斜視図である。
【図２】同要部組み付け説明図である。
【図３】ポンプケーシング装着時におけるポンプゲートの側面説明図である。
【図４】ポンプケーシング装着状態におけるポンプゲートの側面説明図である。
【図５】第２の実施形態を示す要部組み付け説明図である。
【図６】第３の実施形態を示す嵌合ガイド杆の一部断面正面図である。
【図７】第４の実施形態を示す排水ポンプ装置の断面正面図である。
【図８】同予旋回槽部分の平面図である。
【図９】従来のポンプゲート設置例を示す縦断面図である。
【図１０】同ポンプゲートの拡大側面図である。
【図１１】図１０におけるＸＩ−ＸＩ線断面拡大矢視図である。
【図１２】ガイドパイプの上部取付部を示す正面図である。
【図１３】図１２におけるＸＩＩＩ−ＸＩＩＩ線矢視図である。
【図１４】ポンプケーシング装着時におけるポンプゲートの側面説明図である。
【符号の説明】
３　ポンプゲート
８　ゲート扉本体
９　連通管
９ａ　開口部
１１　ポンプケーシング
１１ａ　開口部
１２　ガイドホルダ
１２ａ　基板部
１２ｂ　支持片部
１２ｃ　パイプ支持筒
１３　ガイドパイプ
１４　スライド部材
１４ａ　抱持部
１７　軸流ポンプ
１８　嵌合ガイド杆
２０　嵌合ガイド杆
２０ａ　湾曲部
２０ｂ　傾斜ガイド面
３０　排水ポンプ装置
３１　汚水槽
４０　連結用排出管
４２　ガイドパイプ
４３　水中ポンプ
４４　スライド部材
４６　ガイドホルダ
４７　嵌合ガイド杆
【図１】
2004027947.tif 000003
【図２】
2004027947.tif 000004
【図３】
2004027947.tif 000005
【図４】
2004027947.tif 000006
【図５】
2004027947.tif 000007
【図６】
2004027947.tif 000008
【図７】
2004027947.tif 000009
【図８】
2004027947.tif 000010
【図９】
2004027947.tif 000011
【図１０】
2004027947.tif 000012
【図１１】
2004027947.tif 000013
【図１２】
2004027947.tif 000014
【図１３】
2004027947.tif 000015
【図１４】
2004027947.tif 000016